(57)【要約】【課題】をデジタル駆動の安定性及び高速性を保ちつつ、高フレームレートの映像を表示できる画像表示装置、信号処理方法及び信号処理プログラムを提供する。【解決手段】画像表示装置１は、映像信号をガンマ補正し、補正後の映像信号のレベルと表示輝度との関係を線形に変換するガンマ変換部１３１と、１から補正後の映像信号の画素値の取り得る最大値までのランダム値を出力するランダム信号発生部１３２と、画素値がランダム値以上の場合に画素値を１に、ランダム値未満の場合に画素値を０に変換するディザ処理部１３３と、を備える。【選択図】図２
2019039958.tif 000002
【特許請求の範囲】
【請求項１】
映像信号をガンマ補正し、補正後の映像信号のレベルと表示輝度との関係を線形に変換するガンマ変換部と、
「１」から前記補正後の映像信号の画素値の取り得る最大値までのランダム値を出力するランダム信号発生部と、
前記画素値が前記ランダム値以上の場合に前記画素値を「１」に、前記ランダム値未満の場合に前記画素値を「０」に変換するディザ処理部と、を備える画像表示装置。
【請求項２】
複数の表示パネルがタイル状に並べられた表示部と、
前記複数の表示パネルに対応して、映像フレームを分割した複数の画像データを生成する映像分割部と、を備える請求項１に記載の画像表示装置。
【請求項３】
映像信号をガンマ補正し、補正後の映像信号のレベルと表示輝度との関係を線形に変換するガンマ変換ステップと、
「１」から前記補正後の映像信号の画素値の取り得る最大値までのランダム値を出力するランダム信号発生ステップと、
前記画素値が前記ランダム値以上の場合に前記画素値を「１」に、前記ランダム値未満の場合に前記画素値を「０」に変換するディザ処理ステップと、をコンピュータが実行する信号処理方法。
【請求項４】
映像信号をガンマ補正し、補正後の映像信号のレベルと表示輝度との関係を線形に変換するガンマ変換ステップと、
「１」から前記補正後の映像信号の画素値の取り得る最大値までのランダム値を出力するランダム信号発生ステップと、
前記画素値が前記ランダム値以上の場合に前記画素値を「１」に、前記ランダム値未満の場合に前記画素値を「０」に変換するディザ処理ステップと、をコンピュータに実行させるための信号処理プログラム。
【発明の詳細な説明】
【技術分野】
【０００１】
本発明は、画像を表示する画像表示装置、信号処理方法及び信号処理プログラムに関する。
【背景技術】
【０００２】
近年、高解像度ディスプレイの開発が盛んに行われており、非常に繊細な映像表示が可能となっている。ところが、既存のディスプレイの駆動手法では、動画像において動きぼやけ等の画質妨害が発生するという動画質の課題がある。そこで、黒挿入又は発光時間の制御（例えば、特許文献１及び２参照）等、様々な動画質向上手法が提案されている。
【先行技術文献】
【特許文献】
【０００３】
【特許文献１】特開２００４−１４４９２８号公報
【特許文献２】特開２０１６−１２０６８号公報
【発明の概要】
【発明が解決しようとする課題】
【０００４】
動画質の根本的な解決のためには、ディスプレイのフレームレートの向上が必須である。しかしながら、既存のディスプレイの駆動手法は、高フレームレート化に必ずしも適していなかった。
ディスプレイにおいて階調を表示するための駆動手法には、主に、階調値に応じて発光素子にかかる電圧又は電流を調整するアナログ変調の方式と、階調値に応じてパルスの幅又は発光回数を調整するデジタル変調の方式が存在する。
【０００５】
市販されている液晶テレビ及び有機ＥＬテレビでは、アナログ変調の方式が広く使用されている。しかし、低輝度を表現するためには、低電圧での制御が必要になるため、駆動速度の向上におけるボトルネックとなっていた。
一方、デジタル変調の方式には、ＤＬＰ（登録商標）プロジェクタ及びプラズマディスプレイで用いられている時分割駆動方式があり、この方式は、一定の電圧で駆動できるため高速な駆動が可能となるが、階調表現を行うために多くのサブフィールドを必要とする。また、サブフィールド駆動には、色割れによる画質劣化の問題がある。これを防ぐには、さらに多くのサブフィールドを必要とするため、高フレームレート化は難しかった。
【０００６】
本発明は、デジタル駆動の安定性及び高速性を保ちつつ、高フレームレートの映像を表示できる画像表示装置、信号処理方法及び信号処理プログラムを提供することを目的とする。
【課題を解決するための手段】
【０００７】
本発明に係る画像表示装置は、映像信号をガンマ補正し、補正後の映像信号のレベルと表示輝度との関係を線形に変換するガンマ変換部と、１から前記補正後の映像信号の画素値の取り得る最大値までのランダム値を出力するランダム信号発生部と、前記画素値が前記ランダム値以上の場合に前記画素値を１に、前記ランダム値未満の場合に前記画素値を０に変換するディザ処理部と、を備える。
【０００８】
前記画像表示装置は、複数の表示パネルがタイル状に並べられた表示部と、前記複数の表示パネルに対応して、映像フレームを分割した複数の画像データを生成する映像分割部と、を備えてもよい。
【０００９】
本発明に係る信号処理方法は、映像信号をガンマ補正し、補正後の映像信号のレベルと表示輝度との関係を線形に変換するガンマ変換ステップと、１から前記補正後の映像信号の画素値の取り得る最大値までのランダム値を出力するランダム信号発生ステップと、前記画素値が前記ランダム値以上の場合に前記画素値を１に、前記ランダム値未満の場合に前記画素値を０に変換するディザ処理ステップと、をコンピュータが実行する。
【００１０】
本発明に係る信号処理プログラムは、映像信号をガンマ補正し、補正後の映像信号のレベルと表示輝度との関係を線形に変換するガンマ変換ステップと、１から前記補正後の映像信号の画素値の取り得る最大値までのランダム値を出力するランダム信号発生ステップと、前記画素値が前記ランダム値以上の場合に前記画素値を１に、前記ランダム値未満の場合に前記画素値を０に変換するディザ処理ステップと、をコンピュータに実行させるためのものである。
【発明の効果】
【００１１】
本発明によれば、画像表示装置は、デジタル駆動の安定性及び高速性を保ちつつ、高フレームレートの映像を表示できる。
【図面の簡単な説明】
【００１２】
【図１】実施形態に係る画像表示装置の機能構成を示すブロック図である。
【図２】実施形態に係る信号処理部の機能構成を示すブロック図である。
【図３】実施形態に係る表示パネルの各画素を構成する回路の一例を示す図である。
【図４】実施形態に係る表示パネルにおける各駆動信号の電圧波形を例示する図である。
【図５】実施形態に係るディザ処理部により１ｂｉｔ化した画像を例示する図である。
【図６】実施形態に係る視覚の積分効果をシミュレーションした画像を示す第１の図である。
【図７】実施形態に係る視覚の積分効果をシミュレーションした画像を示す第２の図である。
【図８】第１変形例に係るマルチディスプレイを有する画像表示装置における信号処理部の機能構成を示すブロック図である。
【図９】第２変形例に係るマルチディスプレイを有する画像表示装置の機能構成を示すブロック図である。
【発明を実施するための形態】
【００１３】
以下、本発明の実施形態の一例について説明する。
図１は、本実施形態に係る画像表示装置１の機能構成を示すブロック図である。
画像表示装置１は、映像入力部１１と、信号処理部１３と、行駆動ドライバ部１４と、列駆動ドライバ部１５と、表示パネル１６とを備える。
【００１４】
映像入力部１１は、映像信号が入力されると、この映像信号に含まれるフレームの画像データを入力バッファに一時的に格納し、処理タイミングに合わせて順次、後段の信号処理部１３へ提供する。
【００１５】
信号処理部１３は、映像入力部１１から画像データを受け付け、データの書き込み及び発光のタイミングを制御するデータを生成して、行駆動ドライバ部１４及び列駆動ドライバ部１５へ送信する。
【００１６】
行駆動ドライバ部１４には、水平方向に配される複数の選択信号線が接続される。行駆動ドライバ部１４は、複数の選択信号線のそれぞれに選択信号を供給する。また、行駆動ドライバ部１４には、水平方向に沿う、複数の発光時間制御信号線が接続される。各発光時間制御信号線には、この発光時間制御信号線が配された水平方向に沿う領域に存在する発光時間制御用トランジスタが複数接続される。
【００１７】
列駆動ドライバ部１５には、垂直方向に配される複数のデータ信号線が接続される。列駆動ドライバ部１５は、複数のデータ信号線のそれぞれに各画素の画像データ信号を供給する。
【００１８】
表示パネル１６は、ホールド型の画像表示モジュールである。より具体的な一例としては、表示パネル１６は、アクティブマトリクス型の有機ＥＬ表示モジュールである。
【００１９】
ここで、例えば、映像入力部１１にフレームレート１２００Ｈｚの映像が入力されたとする。信号処理部１３は、バッファリングされた画像データを、ランダムディザにより１ｂｉｔ化する。１ｂｉｔ化されたデータは列駆動ドライバ部１５へ送られ、行駆動ドライバ部１４の書込み信号のタイミングに合わせ、各画素回路へＯＮ又はＯＦＦの値が書き込まれる。画像表示装置１は、この動作を全ての水平ラインについて行うことで、１フレームの映像を表示できる。さらに、画像表示装置１は、１フレームの映像表示の動作を１秒間に１２００回以上行うことで１２００Ｈｚの表示が可能となり、同時に視覚の積分効果により階調を表現することができる。
【００２０】
図２は、本実施形態に係る信号処理部１３の機能構成を示すブロック図である。
信号処理部１３は、ガンマ変換部１３１と、ランダム信号発生部１３２と、ディザ処理部１３３と、映像バッファ部１３４とを備える。
【００２１】
ガンマ変換部１３１は、画像データをガンマ補正し、補正後の画像データのレベル（画素値）と表示輝度との関係を線形に変換する。
デジタル駆動により、表示パネル１６のガンマ特性は線形となる。通常、撮像された映像における信号レベルと表示輝度との間の伝達関数は非線形となるため、ガンマ変換部１３１では、逆ガンマ変換を行うことにより、信号レベルと表示輝度との関係を線形となるように変換する。
【００２２】
ランダム信号発生部１３２は、１から補正後の映像信号の画素値の取り得る最大値までのランダム値を出力し、ディザ処理部１３３に提供する。
例えば、入力映像信号の画素値が１０ｂｉｔであるとすると、ランダム信号発生部１３２は、１〜１０２３（２１０−１）の間の値を持つランダム値ｘを出力する。
【００２３】
ディザ処理部１３３は、映像信号の画素値ａがランダム値ｘ以上の場合に画素値ａを１に、ランダム値ｘ未満の場合に画素値ａを０に変換し、画素値を１ｂｉｔ化する。
【００２４】
映像バッファ部１３４は、ディザ処理部１３３により１ｂｉｔ化された画像データを一時的に記憶し、フレームレートに合わせて適時、列駆動ドライバ部１５に提供する。
【００２５】
図３は、本実施形態に係る表示パネル１６の各画素を構成する回路の一例を示す図である。
ここでは、有機ＥＬパネルの画素構造を例示している。
【００２６】
選択信号に応じてゲート電圧Ｖｇａが印加されると同時に、画像データレベルに応じたデータ電圧Ｖｄａが印加されると、ゲートトランジスタＴｒ１を介してキャパシタＣ１に一定の電荷が蓄積される。
さらに、発光時間制御信号に応じて駆動電圧Ｖｄｄが印加されることにより、駆動トランジスタＴｒ２を介して有機ＥＬ素子Ｄｅｌに電流が流れ発光する。
【００２７】
図４は、本実施形態に係る表示パネル１６における各駆動信号の電圧波形を例示する図である。
【００２８】
行駆動ドライバ部１４は、ゲート制御のための選択信号に基づき、各水平ラインにゲート電圧Ｖｇａを印加する。１水平ラインの走査時間は、１２００Ｈｚの場合０．８μｓｅｃ程度以下の時間であり、行駆動ドライバ部１４は、１ラインずつ順次にゲート電圧Ｖｇａを印加する。また、駆動電圧Ｖｄｄを印加し続け画素に駆動電流を供給することで、１フレームの期間発光が持続する。
【００２９】
列駆動ドライバ部１５は、送られてきた１ｂｉｔの映像データに基づき、各水平ラインの書込み信号に合わせて一定のデータ電圧Ｖｄａで各画素にデータを書き込む。１２００Ｈｚで１０８０本の水平ラインを駆動する場合、１水平ラインの駆動時間は約０．８μｓｅｃ程度以下となるが、デジタル駆動により、データ電圧はＯｎ／Ｏｆｆの２つの状態のみであり、適度な電圧で書込むことが可能であるため、高速に書き込むことが可能となる。書込みされた画素では、Ｔｒ２のソース−ドレイン間に一定の電流が流れて有機ＥＬ素子Ｄｅｌが発光する。
【００３０】
図５は、本実施形態に係るディザ処理部１３３により１ｂｉｔ化した画像を例示する図である。
なお、この図は、１ｂｉｔ化したカラー画像をグレースケールで示している。
ランダムディザにより画素値が１ｂｉｔ化された映像は、１フレームのみでは図のように、ある程度映像を認識できるもののノイズ感が非常に高く、自然な映像とはならない。
【００３１】
本実施形態の画像表示装置１は、このような１ｂｉｔ化された映像を用いて、視覚の積分効果により映像の階調を表現する。デジタル駆動による高フレームレート化により、積分されるフレーム数が増大するため、画像表示装置１は、より自然な映像を表現できる。
【００３２】
図６は、本実施形態に係る視覚の積分効果をシミュレーションした画像を示す第１の図である。
この例は、ランダムディザによる画素値が１ｂｉｔの映像フレームを２０枚平滑化した画像を示している。視覚の積分効果は、１／６０ｓｅｃ程度ということが知られているため、１２００Ｈｚのフレームレートでは、２０枚のフレームを平滑化したものと同様になる。
なお、この図は、カラー画像をグレースケールで示している。
【００３３】
図７は、本実施形態に係る視覚の積分効果をシミュレーションした画像を示す第２の図である。
この例は、フレームレートが１２０００Ｈｚの場合の視覚積分効果を考慮して、１／６０ｓｅｃに相当する２００フレームを平滑化した画像を示している。
なお、この図は、カラー画像をグレースケールで示している。
【００３４】
本実施形態によれば、画像表示装置１は、デジタル駆動を用いることで、一定の電圧での制御により駆動を高速化すると同時に、映像表示に用いるビット深度を１ｂｉｔにまで削減することで、高フレームレートを実現した。さらに、画像表示装置１は、ランダムディザを用いて各画素を２値化し、１０００Ｈｚ以上の高フレームレートにしたため、視覚の積分効果によりノイズは平滑化され、通常の自然な映像を表示できた。この結果、画像表示装置１は、各映像フレームに割り当てるビット数を１サブピクセルあたり１ｂｉｔとしても、階調性のある映像を表示できる。
【００３５】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００３６】
本実施形態では、表示パネル１６が１枚でディスプレイ（表示部）が構成される場合を説明したが、これには限られない。
画像表示装置１の表示部は、複数の表示パネル１６がタイル状に並べられたマルチディスプレイであってもよい。
【００３７】
図８は、第１変形例に係るマルチディスプレイを有する画像表示装置１における信号処理部１３の機能構成を示すブロック図である。
信号処理部１３は、複数の表示パネル１６に対応して、映像フレームを分割した複数の画像データを生成する映像分割部１３５をさらに備える。
【００３８】
映像分割部１３５は、複数の表示パネルに対応して、映像フレームを分割した複数の画像データを生成し、映像バッファ部１３４を介して各表示パネル１６に対応する列駆動ドライバ部１５へ提供する。
複数の表示パネル１６には、映像フレームを分割した一部の画像データがそれぞれ入力され、この結果、マルチディスプレイ全体として１枚の映像フレームが表示される。
【００３９】
画像表示装置１は、複数の表示パネル１６を並列に駆動（分割駆動）することで、映像フレームの描画を高速化でき、フレームレートを向上できる。
図７では、１２０００Ｈｚにおけるシミュレーション例を示したが、従来の１枚のディスプレイで１０８０本の水平ラインを１２０００Ｈｚで駆動する場合、１水平ラインの駆動時間は約８０ｎｓｅｃ程度となる。このように駆動時間が短くなる場合、マルチディスプレイによる分割駆動を適用すれば、現状のトランジスタの性能でも１００００Ｈｚ以上の高フレームレート化を実現することが可能である。
なお、分割駆動は、マルチディスプレイには限られず、例えば基板に貫通電極を形成して裏面から配線することにより、１枚のディスプレイでも実現できる。この場合、分割駆動する個々の領域（表示エリア）がマルチディスプレイの各表示パネル１６に対応する。
【００４０】
図９は、第２変形例に係るマルチディスプレイを有する画像表示装置１の機能構成を示すブロック図である。
画像表示装置１は、さらに映像分割部１２を備える。
【００４１】
映像分割部１２は、映像入力部１１から受け取った映像フレームを、複数の表示パネル１６に対応して分割した複数の画像データを生成する。分割された画像データは、複数の表示パネル１６それぞれに対応する複数の信号処理部１３に対して、それぞれ入力される。
【００４２】
複数の信号処理部１３により、１つの映像フレームが並列処理されるため、処理負荷が低減し、画像表示装置１は、映像フレームの描画を高速化でき、フレームレートを向上できる。
【００４３】
本実施形態では、映像信号の各画素値を１ｂｉｔ化する場合を説明したが、これには限られず、２ｂｉｔ又は３ビット等でもよく、取り得る値の数を減少させることにより同様の効果が期待できる。
【００４４】
また、本実施形態では表示パネル１６として、有機ＥＬパネルを例に説明したが、これには限られず、例えばＤＬＰ（登録商標）を使用したプロジェクタ等であっても、同様の方式を適用できる。この場合、時分割されたサブフィールド毎に、ランダムディザによる各画素の２値化が行われる。
【００４５】
本実施形態では、主に画像表示装置１の構成と動作について説明したが、本発明はこれに限られず、各構成要素を備え、ディスプレイに画像を表示するための方法、又はプログラムとして構成されてもよい。
【００４６】
さらに、画像表示装置１の機能を実現するためのプログラムをコンピュータで読み取り可能な記録媒体に記録して、この記録媒体に記録されたプログラムをコンピュータシステムに読み込ませ、実行することによって実現してもよい。
【００４７】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４８】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００４９】
１  画像表示装置
１１  映像入力部
１２  映像分割部
１３  信号処理部
１４  行駆動ドライバ部
１５  列駆動ドライバ部
１６  表示パネル
１３１  ガンマ変換部
１３２  ランダム信号発生部
１３３  ディザ処理部
１３４  映像バッファ部
１３５  映像分割部
【図１】
2019039958.tif 000003
【図２】
2019039958.tif 000004
【図３】
2019039958.tif 000005
【図４】
2019039958.tif 000006
【図５】
2019039958.tif 000007
【図６】
2019039958.tif 000008
【図７】
2019039958.tif 000009
【図８】
2019039958.tif 000010
【図９】
2019039958.tif 000011